(57)【要約】【課題】使用中の電池の残量による動作可能時間と、使用中でない電池の残量による動作可能時間とを合わせて表示する。【解決手段】電子機器１に装着された使用中の電池２１から電池ＩＤを読み取るＩＤ読み取り部３と、使用中の電池の残量を算出する電池残量算出部５と、使用中の電池の残量に基づいて、使用中の電池によって電子機器が動作可能な動作可能時間を算出する動作可能時間算出部と、電子機器１に選択的に装着した複数の電池の動作可能時間を、それぞれの電池ＩＤと対応付けて記憶する動作可能時間記憶部６と、画面表示部８と、使用中の電池による動作可能時間を示す第１の動作可能時間情報と、動作可能時間記憶部に動作可能時間を記憶させた使用中の電池以外の非使用中の電池による動作可能時間を示す第２の動作可能時間情報とを画面表示部８に表示するよう制御する表示制御部とを備える。【選択図】図１
2010237796.tif 000002
【特許請求の範囲】
【請求項１】
電池からの電力によって動作する電子機器において、
前記電子機器に装着された使用中の電池から電池ＩＤを読み取るＩＤ読み取り部と、
前記使用中の電池の残量を算出する電池残量算出部と、
前記使用中の電池の残量に基づいて、前記使用中の電池により前記電子機器が動作可能な動作可能時間を算出する動作可能時間算出部と、
前記電子機器に選択的に装着した複数の電池の動作可能時間を、それぞれの電池ＩＤと対応付けて記憶する動作可能時間記憶部と、
画面表示部と、
前記使用中の電池による動作可能時間を示す第１の動作可能時間情報と、前記動作可能時間記憶部に動作可能時間を記憶させた前記使用中の電池以外の非使用中の電池による動作可能時間を示す第２の動作可能時間情報とを前記画面表示部に表示するよう制御する表示制御部と
を備えることを特徴とする電子機器。
【請求項２】
前記電子機器で使用可能な複数種類の電池の容量により前記電子機器が動作可能な時間である最大動作可能時間を電池の種類情報と対応付けて記憶する最大動作可能時間記憶部をさらに備え、
前記電池残量算出部は、前記最大動作可能時間記憶部に記憶された電池の最大動作可能時間を用いて電池の残量を算出することを特徴とする請求項１に記載の電子機器。
【請求項３】
前記動作可能時間記憶部は、前記複数の電池の電池ＩＤと対応付けて前記複数の電池それぞれの動作可能時間を記憶した動作可能時間記憶時刻を記憶することを特徴とする請求項１または２に記載の電子機器。
【請求項４】
既定時間ごとに前記使用中の電池の残量を前記電池残量算出部に算出させるとともに、算出された残量による動作可能時間を前記動作可能時間算出部に算出させ、前記動作可能時間記憶部に記憶された前記使用中の電池による動作可能時間を、前記既定時間ごとに前記動作可能時間算出部で算出された値に更新するとともに、前記動作可能時間記憶部に記憶された前記使用中の電池の前記動作可能時間記憶時刻を、動作可能時間を更新した時刻に変更する動作可能時間更新制御部をさらに備えることを特徴とする請求項３に記載の電子機器。
【請求項５】
前記電子機器で使用可能な複数種類の電池の単位時間あたりの自己消費により減少する動作可能時間である自己消費動作可能時間を電池の種類情報と対応付けて記憶する自己消費動作可能時間記憶部と、
前記動作可能時間記憶部に記憶された前記動作可能時間記憶時刻と現在時刻との差および前記単位時間あたりの自己消費動作可能時間に基づいて動作可能時間補正値を算出し、前記動作可能時間記憶部に記憶された電池の動作可能時間を前記動作可能時間補正値により補正する動作可能時間補正部と
をさらに備えることを特徴とする請求項３または４に記載の電子機器。
【請求項６】
前記動作可能時間記憶部に記憶されていない新たな電池が前記電子機器に装着された場合に、前記新たな電池による動作可能時間を前記動作可能時間記憶部に記憶させるか否かをユーザに選択させるためのメッセージを前記画面表示部に表示させるメッセージ送出部と、
前記新たな電池による動作可能時間を記憶する指示信号が入力された場合に、前記動作可能時間算出部により算出された前記新たな電池による動作可能時間を、前記新たな電池のＩＤと対応付けて前記動作可能時間記憶部に記憶させる動作可能時間記憶制御部と
をさらに備えることを特徴とする請求項１乃至５のいずれか１項に記載の電子機器。
【請求項７】
前記動作可能時間記憶部に動作可能時間が記憶された電池から選択される１つの電池の動作可能時間を消去する指示信号が入力された場合に、前記動作可能時間記憶部から、前記指示信号により指示された電池の電池ＩＤと動作可能時間とを消去する動作可能時間消去制御部をさらに備えることを特徴とする請求項１乃至６のいずれか１項に記載の電子機器。
【請求項８】
前記表示制御部は、前記第１の動作可能時間情報として前記使用中の電池による動作可能時間を示す数字および文字を含む第１の数字文字列と、前記第２の動作可能時間情報として前記非使用中の電池による動作可能時間を示す数字および文字を含む第２の数字文字列とを個別に前記画面表示部に表示するよう制御することを特徴とする請求項１に記載の電子機器。
【請求項９】
前記表示制御部は、前記第１および第２の数字文字列に対応してそれぞれの電池の電池ＩＤを前記画面表示部に表示するよう制御することを特徴とする請求項８に記載の電子機器。
【請求項１０】
前記表示制御部は、前記第１の動作可能時間情報として前記使用中の電池による動作可能時間を示す第１の表示図形と、前記第２の動作可能時間情報として前記非使用中の電池による動作可能時間を示す第２の表示図形とを個別に前記画面表示部に表示するよう制御することを特徴とする請求項１に記載の電子機器。
【請求項１１】
前記表示制御部は、前記第１および第２の表示図形に対応してそれぞれの電池の電池ＩＤを前記画面表示部に表示するよう制御することを特徴とする請求項１０に記載の電子機器。
【請求項１２】
前記第１の表示図形は、前記使用中の電池の容量に基づく動作可能時間を示す第１の表示部分と前記使用中の電池の残量に基づく動作可能時間を示す第２の表示部分とを含み、
前記第２の表示図形は、前記非使用中の電池の容量に基づく動作可能時間を示す第１の表示部分と前記非使用中の電池の残量に基づく動作可能時間を示す第２の表示部分とを含み、
前記表示制御部は、前記第１および第２の表示図形における前記第１および第２の表示部分を、それぞれの動作可能時間に応じた大きさで表示するよう制御することを特徴とする請求項１０または１１に記載の電子機器。
【請求項１３】
前記表示制御部は、前記第１および第２の表示図形に対応して、前記第１の表示部分に対する前記第２の表示部分の比率を前記画面表示部に表示するよう制御することを特徴とする請求項１２に記載の電子機器。
【請求項１４】
前記使用中の電池の容量に基づく動作可能時間と前記非使用中の電池の容量に基づく動作可能時間との合計である合計最大動作可能時間を算出するとともに、前記使用中の電池の残量に基づく動作可能時間と前記非使用中の電池の残量に基づく動作可能時間との合計である合計動作可能時間を算出する動作可能時間合算部をさらに備え、
前記表示制御部は、前記合計動作可能時間を示す数字および文字を含む数字文字列を前記画面表示部に表示するよう制御することを特徴とする請求項１に記載の電子機器。
【請求項１５】
前記使用中の電池の容量に基づく動作可能時間と前記非使用中の電池の容量に基づく動作可能時間との合計である合計最大動作可能時間を算出するとともに、前記使用中の電池の残量に基づく動作可能時間と前記非使用中の電池の残量に基づく動作可能時間との合計である合計動作可能時間を算出する動作可能時間合算部をさらに備え、
前記表示制御部は、前記合計最大動作可能時間を示す合計最大動作可能時間表示部分と前記合計動作可能時間を示す合計動作可能時間表示部分とを含む時間表示図形を前記画面表示部に表示するよう制御することを特徴とする請求項１に記載の電子機器。
【請求項１６】
前記合計動作可能時間表示部分は、前記第１の動作可能時間情報を示す動作可能時間表示部分と前記第２の動作可能時間情報を示す動作可能時間表示部分とを連結したものであることを特徴とする請求項１５に記載の電子機器。
【請求項１７】
前記表示制御部は、前記第１の動作可能時間情報を示す動作可能時間表示部分と前記第２の動作可能時間情報を示す動作可能時間表示部分とを、それぞれの動作可能時間に応じた大きさで表示するよう制御することを特徴とする請求項１６に記載の電子機器。
【請求項１８】
電子機器に装着された使用中の電池から電池ＩＤを読み取り、
前記使用中の電池の残量を算出し、
前記使用中の電池の残量に基づいて、前記使用中の電池によって前記電子機器が動作可能な動作可能時間を算出し、
前記電子機器に選択的に装着した複数の電池の動作可能時間を、それぞれの電池ＩＤと対応付けて動作可能時間記憶部に記憶し、
前記使用中の電池による動作可能時間を示す第１の動作可能時間情報と、前記動作可能時間記憶部に動作可能時間を記憶させた前記使用中の電池以外の非使用中の電池による動作可能時間を示す第２の動作可能時間情報とを画面表示部に表示する
ことを特徴とする動作可能時間表示方法。
【請求項１９】
前記電子機器で使用可能な複数種類の電池の容量により前記電子機器が動作可能な時間である最大動作可能時間を電池の種類情報と対応付けて記憶する最大動作可能時間記憶部から電池の最大動作可能時間を読み出し、
前記電池による動作可能時間を前記最大動作可能時間記憶部より読み出した電池の最大動作可能時間を用いて算出することを特徴とする請求項１８に記載の動作可能時間表示方法。
【請求項２０】
前記複数の電池の電池ＩＤと対応付けて前記複数の電池それぞれの動作可能時間を記憶した動作可能時間記憶時刻を前記動作可能時間記憶部に記憶することを特徴とする請求項１８または１９に記載の動作可能時間表示方法。
【請求項２１】
既定時間ごとに前記使用中の電池による動作可能時間を算出し、前記動作可能時間記憶部に記憶された前記使用中の電池による動作可能時間を算出した動作可能時間に更新するとともに、前記動作可能時間記憶部に記憶された前記使用中の電池の前記動作可能時間記憶時刻を、動作可能時間を更新した時刻に変更することを特徴とする請求項２０に記載の動作可能時間表示方法。
【請求項２２】
前記電子機器で使用可能な複数種類の電池の単位時間あたりの自己消費により減少する動作可能時間である自己消費動作可能時間を電池の種類情報と対応付けて記憶する自己消費動作可能時間記憶部から前記単位時間あたりの自己消費動作可能時間を読み出し、
前記動作可能時間記憶部に記憶された前記動作可能時間記憶時刻と現在時刻との差および前記単位時間あたりの自己消費動作可能時間に基づいて動作可能時間補正値を算出し、前記動作可能時間記憶部に記憶された電池の動作可能時間を前記動作可能時間補正値により補正することを特徴とする請求項２０または２１に記載の動作可能時間表示方法。
【請求項２３】
前記動作可能時間記憶部に記憶されていない新たな電池が前記電子機器に装着された場合に、前記新たな電池による動作可能時間を前記動作可能時間記憶部に記憶させるか否かをユーザに選択させるためのメッセージを前記画面表示部に表示し、
前記新たな電池による動作可能時間を記憶する指示信号が入力された場合に、算出された前記新たな電池による動作可能時間を、前記新たな電池のＩＤと対応付けて前記動作可能時間記憶部に記憶することを特徴とする請求項１８乃至２２のいずれか１項に記載の動作可能時間表示方法。
【請求項２４】
前記動作可能時間記憶部に動作可能時間が記憶された電池から選択される１つの電池の動作可能時間を消去する指示信号が入力された場合に、前記動作可能時間記憶部から、前記指示信号により指示された電池の電池ＩＤと動作可能時間とを消去することを特徴とする請求項１８乃至２３のいずれか１項に記載の動作可能時間表示方法。
【請求項２５】
前記第１の動作可能時間情報として前記使用中の電池による動作可能時間を示す数字および文字を含む第１の数字文字列と、前記第２の動作可能時間情報として前記非使用中の電池による動作可能時間を示す数字および文字を含む第２の数字文字列とを個別に前記画面表示部に表示することを特徴とする請求項１８に記載の動作可能時間表示方法。
【請求項２６】
前記第１および第２の数字文字列に対応してそれぞれの電池の電池ＩＤを前記画面表示部に表示することを特徴とする請求項２５に記載の動作可能時間表示方法。
【請求項２７】
前記第１の動作可能時間情報として前記使用中の電池による動作可能時間を示す第１の表示図形と、前記第２の動作可能時間情報として前記非使用中の電池による動作可能時間を示す第２の表示図形とを個別に前記画面表示部に表示することを特徴とする請求項１８に記載の動作可能時間表示方法。
【請求項２８】
前記第１および第２の表示図形に対応してそれぞれの電池の電池ＩＤを前記画面表示部に表示することを特徴とする請求項２７に記載の動作可能時間表示方法。
【請求項２９】
前記第１の表示図形は、前記使用中の電池の容量に基づく動作可能時間を示す第１の表示部分と前記使用中の電池の残量に基づく動作可能時間を示す第２の表示部分とを含み、
前記第２の表示図形は、前記非使用中の電池の容量に基づく動作可能時間を示す第１の表示部分と前記非使用中の電池の残量に基づく動作可能時間を示す第２の表示部分とを含み、
前記第１および第２の表示図形における前記第１および第２の表示部分を、それぞれの動作可能時間に応じた大きさで表示することを特徴とする請求項２７または２８に記載の動作可能時間表示方法。
【請求項３０】
前記第１および第２の表示図形に対応して、前記第１の表示部分に対する前記第２の表示部分の比率を前記画面表示部に表示することを特徴とする請求項２９に記載の動作可能時間表示方法。
【請求項３１】
前記使用中の電池の容量に基づく動作可能時間と前記非使用中の電池の容量に基づく動作可能時間との合計である合計最大動作可能時間を算出するとともに、前記使用中の電池の残量に基づく動作可能時間と前記非使用中の電池の残量に基づく動作可能時間との合計である合計動作可能時間を算出し、
前記合計動作可能時間を示す数字および文字を含む数字文字列を前記画面表示部に表示することを特徴とする請求項１８に記載の動作可能時間表示方法。
【請求項３２】
前記使用中の電池の容量に基づく動作可能時間と前記非使用中の電池の容量に基づく動作可能時間との合計である合計最大動作可能時間を算出するとともに、前記使用中の電池の残量に基づく動作可能時間と前記非使用中の電池の残量に基づく動作可能時間との合計である合計動作可能時間を算出し、
前記合計最大動作可能時間を示す合計最大動作可能時間表示部分と前記合計動作可能時間を示す合計動作可能時間表示部分とを含む時間表示図形を前記画面表示部に表示することを特徴とする請求項１８に記載の動作可能時間表示方法。
【請求項３３】
前記合計動作可能時間表示部分は、前記第１の動作可能時間情報を示す動作可能時間表示部分と前記第２の動作可能時間情報を示す動作可能時間表示部分とを連結したものであることを特徴とする請求項３２に記載の動作可能時間表示方法。
【請求項３４】
前記第１の動作可能時間情報を示す動作可能時間表示部分と前記第２の動作可能時間情報を示す動作可能時間表示部分とを、それぞれの動作可能時間に応じた大きさで表示することを特徴とする請求項３３に記載の動作可能時間表示方法。
【発明の詳細な説明】
【技術分野】
【０００１】
本発明は、電池からの電力によって動作する電子機器、およびこれに用いる動作可能時間表示方法に関する。
【背景技術】
【０００２】
従来、複数の電池を装着可能な電子機器において、使用中の電池の残量は表示可能であるが、すべての電池に対する残量表示はできず、ユーザはすべての電池の残量の合計を把握することができなかった。
【０００３】
これに対し、特許文献１では、電池の測定電圧と残量との対比を記した表と、各々の電池の単独での測定電圧を平均計算する手段とを用いて個々の電池の残量を求め、この結果から複数の電池の合計残量を算出し、画面表示する技術が提案されている。
【０００４】
また、特許文献２には、カメラ本体内の電池と補助電源であるバッテリグリップ内の電池とを、消耗に応じて選択的に使用し、２つの電池を合わせた全体の電池消耗経過を画面表示する技術が開示されている。
【先行技術文献】
【特許文献】
【０００５】
【特許文献１】特開平５−９９９９８号公報
【特許文献２】特開２００６−３５０１号公報
【発明の概要】
【発明が解決しようとする課題】
【０００６】
ビデオカメラ、デジタルカメラ等の携帯型電子機器の場合、機器の大きさや重量はユーザにとっての利便性、携帯性に大きな影響を及ぼすものであり、複数の電池を同時に装着することは、ユーザに不利益を与えることになる。よって、携帯型電子機器の場合、機器に取り付ける電池は１個とし、他の電池は交換用として機器に装着しない状態でユーザが携帯するのが一般的である。
【０００７】
この場合、機器に表示される電池残量は、機器に装着されて使用中の電池の残量のみであり、機器に装着されていない他の電池の残量を合算して表示することはできない。このため、ユーザは、使用中の電池以外に交換用として携帯している電池等も含めた合計の残量を把握することができず、その残量による機器の動作可能時間を確認することができなかった。
【０００８】
上述の特許文献１，２はいずれも、機器に装着されている電池の残量を表示するものであり、機器に装着されていない電池の残量による機器の動作可能時間を表示することはできなかった。
【０００９】
本発明は上記に鑑みてなされたもので、使用中の電池の残量による動作可能時間と、使用中でない電池の残量による動作可能時間とを合わせて表示することができる電子機器、およびこれに用いる動作可能時間表示方法を提供することを目的とする。
【課題を解決するための手段】
【００１０】
本発明の一態様によれば、電池からの電力によって動作する電子機器において、前記電子機器に装着された使用中の電池から電池ＩＤを読み取るＩＤ読み取り部と、前記使用中の電池の残量を算出する電池残量算出部と、前記使用中の電池の残量に基づいて、前記使用中の電池により前記電子機器が動作可能な動作可能時間を算出する動作可能時間算出部と、前記電子機器に選択的に装着した複数の電池の動作可能時間を、それぞれの電池ＩＤと対応付けて記憶する動作可能時間記憶部と、画面表示部と、前記使用中の電池による動作可能時間を示す第１の動作可能時間情報と、前記動作可能時間記憶部に動作可能時間を記憶させた前記使用中の電池以外の非使用中の電池による動作可能時間を示す第２の動作可能時間情報とを前記画面表示部に表示するよう制御する表示制御部とを備えることを特徴とする電子機器が提供される。
【００１１】
本発明の他の態様によれば、電子機器に装着された使用中の電池から電池ＩＤを読み取り、前記使用中の電池の残量を算出し、前記使用中の電池の残量に基づいて、前記使用中の電池によって前記電子機器が動作可能な動作可能時間を算出し、前記電子機器に選択的に装着した複数の電池の動作可能時間を、それぞれの電池ＩＤと対応付けて動作可能時間記憶部に記憶し、前記使用中の電池による動作可能時間を示す第１の動作可能時間情報と、前記動作可能時間記憶部に動作可能時間を記憶させた前記使用中の電池以外の非使用中の電池による動作可能時間を示す第２の動作可能時間情報とを画面表示部に表示することを特徴とする動作可能時間表示方法が提供される。
【発明の効果】
【００１２】
本発明によれば、使用中の電池の残量による動作可能時間と、使用中でない電池の残量による動作可能時間とを合わせて表示することができる。
【図面の簡単な説明】
【００１３】
【図１】本発明の実施の形態に係る電子機器の構成を示すブロック図である。
【図２】図１に示す電子機器の動作を示すフローチャートである。
【図３】図１に示す電子機器の動作を示すフローチャートである。
【図４】図１に示す電子機器における記憶済み電池の動作可能時間補正処理の手順を示すフローチャートである。
【図５】図１に示す電子機器における動作可能時間表示処理の手順を示すフローチャートである。
【図６】動作可能時間表示画面の一例を示す図である。
【図７】図６における合計動作可能時間表示図形を示す図である。
【図８】図６における個別動作可能時間表示図形を示す図である。
【図９】動作可能時間表示画面の他の例を示す図である。
【図１０】動作可能時間表示画面のさらに他の例を示す図である。
【図１１】使用中の電池の動作可能時間を記憶するか否かをユーザに選択させるためのメッセージを表示した動作可能時間表示画面の一例を示す図である。
【図１２】動作可能時間記憶部に記憶されている動作可能時間を消去するためのメッセージを表示した動作可能時間表示画面の一例を示す図である。
【図１３】電池における電池ＩＤの表示例を示す図である。
【発明を実施するための形態】
【００１４】
以下、本発明の実施の形態について、図面を参照して説明する。
【００１５】
図１は、本発明の実施の形態に係る電子機器の構成を示すブロック図である。図１に示すように、本実施の形態に係る電子機器１は、電池装着部２と、ＩＤ読み取り部３と、最大動作可能時間記憶部４と、電池残量算出部５と、動作可能時間記憶部６と、動作可能時間合算部７と、画面表示部８と、メッセージ送出部９と、操作入力部１０と、計時部１１と、自己消費動作可能時間記憶部１２と、動作可能時間補正部１３と、平均消費電力算出部１４と、平均消費電力記憶部１５と、制御部１６と、ＲＯＭ（Read Only Memory）１７と、ＲＡＭ（Random Access Memory）１８と、電源部１９と、電源スイッチ２０とを備える。
【００１６】
電池装着部２は、電子機器１を動作させる電力を供給する電池２１を装着する。電池装着部２は、電池２１の端子と接続する端子（図示せず）を有する。電池装着部２は、電池２１を少なくとも１つ装着するものであればよい。電池装着部２には複数の電池２１が選択的に装着される。
【００１７】
電池２１は、電池固有の電池ＩＤを保持するＩＤ記憶部２２と、電子機器１に電力を供給する電力供給部２３とを備える。
【００１８】
電池ＩＤは、当該電池の種類を示す電池種類情報を含むことが好ましい。例えば、電池ＩＤの先頭が“１”であれば３０分用の電池、“２”であれば６０分用の電池、“３”であれば９０分用の電池のように、電池ＩＤ自体に電池種類情報を含ませることができる。あるいは、電子機器１が何番から何番までの電池ＩＤが３０分用の電池で、何番から何番までの電池ＩＤが６０分用の電池で、何番から何番までの電池ＩＤが９０分用の電池であるという情報を有していてもよい。
【００１９】
ＩＤ読み取り部３は、電子機器１に装着された使用中の電池２１のＩＤ記憶部２２から電池ＩＤを読み取る。
【００２０】
最大動作可能時間記憶部４は、電子機器１で使用可能な複数種類の電池それぞれの容量により電子機器１を動作させることが可能な時間（電池が満充電であるときに電子機器１を動作させることが可能な時間）である最大動作可能時間を電池種類情報と対応付けて予め記憶する。ここで、最大動作可能時間は、電池種類情報から得られる電池容量を平均消費電力記憶部１５に記憶される電子機器１の平均消費電力で除することで得られる。
【００２１】
電池残量算出部５は、電池２１の残量を算出する。例えば、電池残量算出部５は、電池２１の端子電圧を測定することによって電池２１の残量（容量に対する比率）がどの程度かを検出し、この比率を電池２１の容量と乗ずることにより、電池２１の残量を算出することができる。
【００２２】
電池２１として、当該電池の容量と残量とをデータとして電子機器１に供給するものが存在する。電池２１としてこの種の電池を採用した場合には、最大動作可能時間記憶部４は削除可能であり、電池残量算出部５は、電池２１から供給される残量データに基づいて電池２１の残量を算出すればよい。
【００２３】
動作可能時間記憶部６は、電池残量算出部５により算出された電池２１の残量を後述の平均消費電力算出部１４で算出される電子機器１の平均消費電力で除することにより算出される動作可能時間を、電池２１の電池ＩＤ、動作可能時間を記憶した時刻である動作可能時間記憶時刻と対応付けて記憶する。
【００２４】
動作可能時間記憶部６には、後述するように、電子機器１の電池装着部２に装着したことがあり、ユーザが電池の動作可能時間を記憶する指示を行った電池の動作可能時間が、その電池の電池ＩＤおよび動作可能時間記憶時刻と対応付けて記憶されている。このように、１つの電池ＩＤに対して、動作可能時間と動作可能時間記憶時刻とを対応付けて記憶することが好ましい。電池の動作可能時間は時間の経過によって減少するので、後述のように、動作可能時間記憶時刻を記憶することによって記憶済み電池の動作可能時間を補正することが可能となる。なお、記憶済み電池の動作可能時間を補正するという機能を省くことも可能であり、この場合は、電池ＩＤと動作可能時間とを対応付けて記憶すればよい。
【００２５】
動作可能時間合算部７は、使用中の電池２１の最大動作可能時間と、動作可能時間記憶部６に動作可能時間が電池ＩＤおよび動作可能時間記憶時刻と対応付けられて記憶された電池である記憶済み電池のうち使用中の電池２１を除くすべての記憶済み電池の最大動作可能時間との合計である合計最大動作可能時間を算出するとともに、使用中の電池２１の動作可能時間と、使用中の電池２１を除くすべての記憶済み電池の動作可能時間との合計である合計動作可能時間を算出する。
【００２６】
画面表示部８は、電池の最大動作可能時間および動作可能時間を示す後述の合計動作可能時間表示図形や個別動作可能時間表示図形、および各種のメッセージ等を表示する。
【００２７】
メッセージ送出部９は、ユーザに対する各種のメッセージを画面表示部８に送出し、これを表示させる。
【００２８】
操作入力部１０は、ユーザが電子機器１を操作するための入力を行う部分であり、ユーザ操作に基づく操作信号を制御部１６に出力する。
【００２９】
計時部１１は、時刻を計時する。この計時部１１は、電池２１が取り外されている場合も動作可能なように、電子機器１に内蔵される電池２１以外の電池などの電源（図示せず）からの電力により動作を行う。
【００３０】
自己消費動作可能時間記憶部１２は、電子機器１で使用可能な複数種類の電池それぞれの単位時間あたりの電池の自己消費により減少する動作可能時間である自己消費動作可能時間を電池種類情報と対応付けて予め記憶する。
【００３１】
動作可能時間補正部１３は、動作可能時間記憶部６に動作可能時間が電池ＩＤおよび動作可能時間記憶時刻と対応付けられて記憶された記憶済み電池の動作可能時間記憶時刻と現在時刻との差、および自己消費動作可能時間記憶部１２から得られる単位時間あたりの自己消費動作可能時間に基づいて動作可能時間補正値を算出し、記憶済み電池の動作可能時間を動作可能時間補正値により補正する。
【００３２】
平均消費電力算出部１４は、電池残量算出部５により算出される残量の単位時間あたりの減少値から電子機器１の平均消費電力を算出する。なお、平均消費電力算出部１４は、電池２１の電力供給部２３から電子機器１に供給される単位時間あたりの電力より平均消費電力を算出する構成としてもよい。
【００３３】
平均消費電力記憶部１５は、平均消費電力算出部１４で算出された電子機器１の平均消費電力を記憶する。
【００３４】
制御部１６は、プログラムに応じた処理を行うことによって、電子機器１全体の動作を制御する。制御部１６による制御内容としては、ＩＤ読み取り部３からの電池ＩＤの読み取り、最大動作可能時間記憶部４からの最大動作可能時間の読み取り、電池残量算出部５の制御、動作可能時間等の動作可能時間記憶部６への記憶、動作可能時間合算部７の制御、画面表示部８の表示制御、メッセージ送出部９の制御、操作入力部１０からの入力に応じた動作の実行、計時部１１からの時刻情報の取得、自己消費動作可能時間記憶部１２からの自己消費動作可能時間の読み取り、動作可能時間補正部１３の制御、平均消費電力算出部１４の制御、平均消費電力の平均消費電力記憶部１５への記憶、電源スイッチ２０に応じた電源のＯＮ／ＯＦＦ制御、ＲＯＭ１７内のデータの読み取り、各種の演算処理等が挙げられる。
【００３５】
制御部１６は、電池残量算出部５で算出された電池２１の残量と、平均消費電力記憶部１５に記憶された平均消費電力とから、電池２１の残量による電子機器１の動作可能時間を算出する動作可能時間算出部として機能する。
【００３６】
また、制御部１６は、使用中の電池２１の動作可能時間を示す第１の動作可能時間情報と、動作可能時間記憶部６に動作可能時間を記憶させた使用中の電池以外の非使用中の電池の動作可能時間を示す第２の動作可能時間情報とを画面表示部８に表示するよう制御する表示制御部として機能する。
【００３７】
また、制御部１６は、記憶済み電池のうち、使用中の電池２１の残量を既定時間Ｔごとに電池残量算出部５に算出させるとともに、この算出された残量による動作可能時間を算出し、動作可能時間記憶部６に記憶された使用中の電池２１による動作可能時間および動作可能時間記憶時刻を更新するようになっており、動作可能時間更新制御部として機能する。
【００３８】
また、制御部１６は、動作可能時間記憶部６に動作可能時間が記憶されていない新たな電池が電子機器１に装着され、この新たな電池による動作可能時間を記憶する指示信号が入力された場合に、新たな電池による動作可能時間を、当該電池の電池ＩＤおよび動作可能時間記憶時刻と対応付けて動作可能時間記憶部６に記憶させるようになっており、動作可能時間記憶制御部として機能する。
【００３９】
また、制御部１６は、動作可能時間記憶部６から、ユーザ操作により指示された電池の動作可能時間、当該動作可能時間に対応する電池ＩＤ、および動作可能時間記憶時刻を消去するようになっており、動作可能時間消去制御部として機能する。
【００４０】
ＲＯＭ１７は、後述する既定時間Ｔ、残量の既定値Ｃmin、制御部１６の動作のためのプログラム等を格納する。
【００４１】
ＲＡＭ１８は、一時的なデータの保存や演算時における制御部１６のワーク領域として使用される。
【００４２】
電源部１９は、電池２１の電力供給部２３から電力を受け取り、電子機器１に電力を供給して駆動させる。
【００４３】
電源スイッチ２０は、ユーザが電子機器１の電源ＯＮ／ＯＦＦを操作するための入力を行う部分であり、ユーザ操作に応じて電源部１９に対して電力の供給を指示する。
【００４４】
次に、電子機器１の動作について説明する。
【００４５】
図２、図３は、電子機器１の動作を示すフローチャートである。まず、図２のステップＳ１０において、ＩＤ読み取り部３は、電子機器１に装着された使用中の電池２１のＩＤ記憶部２２に記憶された電池ＩＤを読み取り、これを制御部１６に出力する。
【００４６】
次いで、ステップＳ２０において、制御部１６は、動作可能時間記憶部６に動作可能時間が電池ＩＤおよび動作可能時間記憶時刻と対応付けて記憶されているすべての記憶済み電池の電池ＩＤを読み出す。
【００４７】
次いで、ステップＳ３０において、制御部１６は、動作可能時間記憶部６に記憶されている各記憶済み電池の動作可能時間の補正を行うために動作可能時間補正処理を行う。この動作可能時間補正処理の手順については後述する。
【００４８】
次いで、ステップＳ４０において、制御部１６は、使用中の電池２１の電池ＩＤに含まれる電池種類情報に基づいて、使用中の電池２１の最大動作可能時間ＴＡを最大動作可能時間記憶部４から読み出す。
【００４９】
次いで、ステップＳ５０において、制御部１６は、使用中の電池２１の電池ＩＤに基づいて、使用中の電池２１の動作可能時間が動作可能時間記憶部６に記憶されているか否かを判断する。記憶されている場合（ステップＳ５０：ＹＥＳ）、ステップＳ６０に進み、記憶されていない場合（ステップＳ５０：ＮＯ）、ステップＳ９０に進む。
【００５０】
ステップＳ６０では、制御部１６は、使用中の電池２１を除くすべての記憶済み電池の最大動作可能時間を最大動作可能時間記憶部４から読み出し、読み出した最大動作可能時間の合計ＴＡmemを動作可能時間合算部７に算出させる。
【００５１】
以上で得られた使用中の電池２１の最大動作可能時間ＴＡと、使用中の電池２１を除くすべての記憶済み電池の最大動作可能時間の合計ＴＡmemとを加算すれば、使用可能なすべての電池の最大動作可能時間となるので、ステップＳ７０において、制御部１６は、ＴＡとＴＡmemとを加算した合計最大動作可能時間ＴＡallを動作可能時間合算部７に算出させる。
【００５２】
次いで、ステップＳ８０において、制御部１６は、使用中の電池２１を除くすべての記憶済み電池の動作可能時間を動作可能時間記憶部６より読み出し、読み出した動作可能時間の合計ＴＲmemを動作可能時間合算部７に算出させる。その後、図３のステップＳ２４０に進む。
【００５３】
図２において、使用中の電池２１の動作可能時間が動作可能時間記憶部６に記憶されていない場合（ステップＳ５０：ＮＯ）、ステップＳ９０において、制御部１６は、動作可能時間記憶部６に動作可能時間が記憶されているすべての記憶済み電池の最大動作可能時間の合計ＴＡmemを動作可能時間合算部７に算出させる。
【００５４】
次いで、ステップＳ１００において、制御部１６は、ＴＡとＴＡmemとを加算した合計最大動作可能時間ＴＡallを動作可能時間合算部７に算出させる。
【００５５】
次いで、ステップＳ１１０において、制御部１６は、予め平均消費電力算出部１４で算出されて平均消費電力記憶部１５に記憶された電子機器１の平均消費電力を読み出す。
【００５６】
次いで、ステップＳ１２０において、制御部１６は、使用中の電池２１の残量ＣＲを電池残量算出部５に算出させる。
【００５７】
次いで、ステップＳ１３０において、制御部１６は、ステップＳ１１０で読み出した電子機器１の平均消費電力とステップＳ１２０で算出した使用中の電池２１の残量ＣＲとに基づき、使用中の電池２１の残量ＣＲによる動作可能時間ＴＲを算出する。
【００５８】
次いで、ステップＳ１４０において、制御部１６は、すべての記憶済み電池の動作可能時間を動作可能時間記憶部６より読み出し、読み出した動作可能時間の合計ＴＲmemを動作可能時間合算部７に算出させる。次いで、ステップＳ１５０において、制御部１６は、ＴＲとＴＲmemとを合計した合計動作可能時間ＴＲallを動作可能時間合算部７に算出させる。
【００５９】
次いで、ステップＳ１６０において、制御部１６は、以上で求めた使用中の電池２１の動作可能時間ＴＲ、合計動作可能時間ＴＲall、および各記憶済み電池の動作可能時間等を用いて、使用中の電池２１、その他の記憶済み電池、および合計した電池の動作可能時間の表示を画面表示部８に行わせる。ここで表示する動作可能時間の表示形態は、後述の動作可能時間表示処理で説明する表示形態と同様である。
【００６０】
次いで、図３のステップＳ１７０において、制御部１６は、現在使用中の電池２１の動作可能時間を動作可能時間記憶部６に記憶するか否かをユーザに選択させるためのメッセージをメッセージ送出部９から送出させ、画面表示部８に表示させる。メッセージの表示例については後述する。
【００６１】
ここで、メッセージを表示する理由について説明する。ユーザは、電池が電子機器１に装着されるまでは、その電池の残量による動作可能時間の状況を知ることはできない。装着した電池の動作可能時間がほとんどないこともあり得る。動作可能時間が少ない電池は、残り僅かな時間だけしか使用できないので、このような電池の動作可能時間は記憶しない方が好ましい場合がある。そこで、「記憶しない」という選択肢が必要となる。なお、上述のステップＳ１６０で行う動作可能時間表示は、ユーザが電池の動作可能時間を記憶するか否かの判断にあたり、現在の動作可能時間の状況をユーザに認知させることを目的としている。
【００６２】
次いで、ステップＳ１８０において、制御部１６は、電源スイッチ２０が押下されているか否かを判断し、押下されている場合（ステップＳ１８０：ＹＥＳ）、ステップＳ１９０において、制御部１６は、電源ＯＦＦ処理を行う。
【００６３】
電源スイッチ２０が押下されていない場合（ステップＳ１８０：ＮＯ）、ステップＳ２００において、制御部１６は、現在使用中の電池２１の残量ＣＲが、ＲＯＭ１７に格納された既定値Ｃmin以上であるか否かを判断する。
【００６４】
既定値Ｃmin以上である場合（ステップＳ２００：ＹＥＳ）、ステップＳ２１０に進み、既定値Ｃminより小さい場合（ステップＳ２００：ＮＯ）、ステップＳ１９０において、制御部１６は、電源ＯＦＦ処理を行う。これは、電池２１の残量ＣＲが既定値Ｃminより小さい場合は、電子機器１を実質的に動作させることができないので、電源スイッチ２０の押下がなくても電子機器１の動作を自動的に停止させるためである。
【００６５】
ステップＳ２１０では、制御部１６は、ステップＳ１７０のメッセージに対する操作入力が操作入力部１０に対して行われたか否かを判断する。操作入力が行われた場合（ステップＳ２１０：ＹＥＳ）、ステップＳ２２０に進み、操作入力が行われなかった場合（ステップＳ２１０：ＮＯ）、ステップＳ１８０に戻り、以降の処理を繰り返す。
【００６６】
ステップＳ２２０では、制御部１６は、操作入力部１０からの操作信号に基づき、「記憶する」が選択されたか否かを判断する。「記憶する」が選択された場合（ステップＳ２２０：ＹＥＳ）、ステップＳ２３０に進み、「記憶しない」が選択された場合（ステップＳ２２０：ＮＯ）、ステップＳ２４０に進む。
【００６７】
ステップＳ２３０では、制御部１６は、計時部１１から現在の時刻を読み出し、使用中の電池２１の動作可能時間ＴＲ、電池ＩＤ、および現在の時刻を動作可能時間記憶時刻として対応付けて動作可能時間記憶部６に書き込む。
【００６８】
ステップＳ２４０では、制御部１６は、動作可能時間表示処理を行う。この動作可能時間表示処理の手順については後述する。
【００６９】
次に、前述した図２のステップＳ３０における記憶済み電池の動作可能時間補正処理について説明する。
【００７０】
電池は、自己放電や電池内部に設けられた保護回路などの消費電力をもつため、回路負荷が未接続の状態でも、僅かではあるが残量を消費してしまう。したがって、動作可能時間記憶部６に動作可能時間を記憶してから長時間使用しない状態が続いた場合には、動作可能時間記憶部６に記憶されている動作可能時間と実際の残量による動作可能時間との間には差が発生してしまう。この動作可能時間の差を補正するための処理が、以下に説明する動作可能時間補正処理である。
【００７１】
図４は、記憶済み電池の動作可能時間補正処理の手順を示すフローチャートである。まず、ステップＳ３１０において、制御部１６は、動作可能時間記憶部６に動作可能時間が記憶されている記憶済み電池があるか否かを判断する。記憶済み電池がある場合（ステップＳ３１０：ＹＥＳ）、ステップＳ３２０に進み、記憶済み電池がない場合（ステップＳ３１０：ＮＯ）、処理を終了する。
【００７２】
ステップＳ３２０では、制御部１６は、記憶済み電池のうち、現在使用中の電池２１を除く各記憶済み電池の動作可能時間記憶時刻を動作可能時間記憶部６から読み出し、ステップＳ３３０では、制御部１６は、計時部１１から現在の時刻を読み出す。
【００７３】
次いで、ステップＳ３４０において、制御部１６は、各記憶済み電池の動作可能時間記憶時刻と現在時刻との時間差を算出する。
【００７４】
次いで、ステップＳ３５０において、制御部１６は、各記憶済み電池の電池ＩＤに含まれる電池種類情報に基づき、各記憶済み電池の単位時間あたりの自己消費動作可能時間を自己消費動作可能時間記憶部１２から読み出す。
【００７５】
次いで、ステップＳ３６０において、制御部１６は、自己消費動作可能時間記憶部１２から読み出した単位時間あたりの自己消費動作可能時間と、ステップＳ３４０で算出した時間差とを乗算することにより、各記憶済み電池の動作可能時間を補正するための動作可能時間補正値を算出するように動作可能時間補正部１３を制御する。
【００７６】
次いで、ステップＳ３７０において、制御部１６は、現在使用中の電池２１を除く記憶済み電池の動作可能時間を動作可能時間記憶部６から読み出し、ステップＳ３８０において、制御部１６は、読み出した動作可能時間を、ステップＳ３６０で算出した動作可能時間補正値を用いて補正するように動作可能時間補正部１３を制御する。
【００７７】
そして、ステップＳ３９０において、制御部１６は、動作可能時間補正部１３で算出した各記憶済み電池の補正後の動作可能時間を動作可能時間記憶部６に対して上書きするとともに、各記憶済み電池の動作可能時間記憶時刻を補正時の時刻に変更する処理を行う。
【００７８】
次に、前述した図２のステップＳ２４０における動作可能時間表示処理について説明する。
【００７９】
図５は、動作可能時間表示処理の手順を示すフローチャートである。まず、ステップＳ４１０において、制御部１６は、電源スイッチ２０が押下されているか否かを判断し、押下されている場合（ステップＳ４１０：ＹＥＳ）、ステップＳ４２０において、制御部１６は、電源ＯＦＦ処理を行う。
【００８０】
電源スイッチ２０が押下されていない場合（ステップＳ４１０：ＮＯ）、ステップＳ４３０において、制御部１６は、前回の動作可能時間更新時からＲＯＭ１７内の既定時間Ｔが経過したか否かを判定する。既定時間Ｔが経過した場合（ステップＳ４３０：ＹＥＳ）、ステップＳ４４０に進み、既定時間Ｔが経過していない場合（ステップＳ４３０：ＮＯ）、ステップＳ４１０に戻る。
【００８１】
ステップＳ４４０では、制御部１６は、現在使用中の電池２１の残量ＣＲを電池残量算出部５に算出させる。
【００８２】
次いで、ステップＳ４５０において、制御部１６は、ステップＳ４４０で算出された使用中の電池２１の残量ＣＲが、ＲＯＭ１７に格納された既定値Ｃmin以上であるか否かを判断する。残量ＣＲが既定値Ｃmin以上である場合（ステップＳ４５０：ＹＥＳ）、ステップＳ４６０に進み、残量ＣＲが既定値Ｃminより小さい場合（ステップＳ４５０：ＮＯ）、ステップＳ４２０において、制御部１６は、電源ＯＦＦ処理を行う。
【００８３】
ステップ４６０では、制御部１６は、平均消費電力記憶部１５に記憶された電子機器１の平均消費電力を読み出す。
【００８４】
次いで、ステップＳ４７０において、制御部１６は、電子機器１の平均消費電力とステップＳ４４０で算出した使用中の電池２１の残量ＣＲとに基づき、使用中の電池２１の残量ＣＲによる動作可能時間ＴＲを算出する。
【００８５】
ステップＳ４８０では、制御部１６は、使用中の電池２１の動作可能時間が、動作可能時間記憶部６に記憶されているか否かを判断する。記憶されている場合（ステップＳ４８０：ＹＥＳ）、ステップＳ４９０に進み、記憶されていない場合（ステップＳ４８０：ＮＯ）、ステップＳ５００に進む。
【００８６】
ステップＳ４９０では、制御部１６は、ステップＳ４７０で算出した使用中の電池２１の動作可能時間ＴＲを動作可能時間記憶部６に対して上書き（更新）するとともに、動作可能時間記憶時刻を動作可能時間の上書きを行った時刻に変更する処理を行う。
【００８７】
ここで、使用中の電池の動作可能時間の算出ごとに動作可能時間記憶部６への上書き（更新）を行う理由について述べる。
【００８８】
電子機器１の電力は、電池装着部２に装着されている電池から供給されるので、電池が電池装着部２から取り外された場合は電子機器１に電力が供給されなくなる。電池の動作可能時間が動作可能時間記憶部６に記憶されている場合、この動作可能時間は電池の取り外し時には更新される必要がある。
【００８９】
この実現手段としては、電池が取り外されるのを検出して、取り外される前に動作可能時間を記憶する方法が考えられる。この方法の場合、電池が取り外されるのを検出するスイッチなどが必要となり、構造が複雑化し、コストアップの要因ともなる。
【００９０】
そこで、上記で説明したように、既定時間Ｔの短い時間間隔で使用中の電池の動作可能時間を更新しておけば、電池の取り外し時にあらためて動作可能時間を記憶する必要がなくなり、電池の取り外しを検出するためのスイッチなどを用いる必要がなくなる。
【００９１】
次いで、ステップＳ５００において、制御部１６は、使用中の電池２１の動作可能時間ＴＲと先に算出したＴＲmemとを合計した合計動作可能時間ＴＲallを動作可能時間合算部７に算出させる。
【００９２】
次いで、ステップＳ５１０において、制御部１６は、以上で求めた使用中の電池２１の動作可能時間ＴＲ、合計動作可能時間ＴＲall、および各記憶済み電池の動作可能時間等を用いて、使用中の電池２１、その他の記憶済み電池、および合計した電池の動作可能時間の表示を画面表示部８に行わせる。その後、ステップＳ４３０に戻り、以降の処理を繰り返す。
【００９３】
次に、画面表示部８における動作可能時間の表示例について説明する。
【００９４】
図６は、本実施の形態において画面表示部８に表示される動作可能時間表示画面の一例を示す図であり、３つの電池の動作可能時間表示を行う場合を示す図、図７は、図６における合計動作可能時間表示図形を示す図、図８は、図６における個別動作可能時間表示図形を示す図である。
【００９５】
図６に示すように、動作可能時間表示画面３０には、３つの電池の合計最大動作可能時間と合計動作可能時間とを示す合計動作可能時間表示図形３１と、個々の電池の最大動作可能時間と動作可能時間とを個別に示す個別動作可能時間表示図形３２Ａ〜３２Ｃとが表示される。
【００９６】
ここで、個別動作可能時間表示図形３２Ａ〜３２Ｃは電池Ａ〜Ｃに対応し、各電池の最大動作可能時間は、電池Ｃの最大動作可能時間＞電池Ａの最大動作可能時間＞電池Ｂの最大動作可能時間、という関係にあり、各電池の残量による動作可能時間は、電池Ａが１時間（１ｈ００ｍ）、電池Ｂが３０分（０ｈ３０ｍ）、電池Ｃが１時間３０分（１ｈ３０ｍ）であるものとする。
【００９７】
図６は、動作可能時間を動作可能時間記憶部６に最初に記憶した順番に従って表示を行うようにした場合の動作可能時間表示画面の一例であり、電池Ａ→電池Ｂ→電池Ｃの順番で動作可能時間を記憶し、電池Ａを使用している場合の表示例である。
【００９８】
図６に示すように、合計動作可能時間表示図形３１には、電池Ａ〜Ｃの最大動作可能時間の合計（電池Ａ〜Ｃがすべて満充電であるときの電子機器１の動作可能時間）を示す合計最大動作可能時間表示部分３１１と、電池Ａ〜Ｃの動作可能時間を示す動作可能時間表示部分３１２Ａ〜３１２Ｃとが表示される。動作可能時間表示部分３１２Ａ〜３１２Ｃは直列的に連結して表示され、電池Ａ〜Ｃの動作可能時間の合計を示す合計動作可能時間表示部分を構成する。個別動作可能時間表示図形３２Ａ〜３２Ｃには、対応する電池Ａ〜Ｃの最大動作可能時間（電池Ａ〜Ｃがすべて満充電であるときの個々の電池による電子機器１の動作可能時間）を示す最大動作可能時間表示部分３２１Ａ〜３２１Ｃと、対応する電池Ａ〜Ｃの残量による動作可能時間を示す動作可能時間表示部分３２２Ａ〜３２２Ｃとがそれぞれ表示される。
【００９９】
合計動作可能時間表示図形３１および個別動作可能時間表示図形３２Ａ〜３２Ｃは、それぞれに対応する最大動作可能時間に応じた大きさで表示され、合計動作可能時間表示図形３１の合計最大動作可能時間表示部分３１１の長さ３３が、個別動作可能時間表示図形３２Ａ〜３２Ｃの最大動作可能時間表示部分３２１Ａ〜３２１Ｃの長さの合計になるように表示される。個別動作可能時間表示図形３２Ａ〜３２Ｃの最大動作可能時間表示部分３２１Ａ〜３２１Ｃの長さは、電池Ａ〜Ｃの最大動作可能時間に応じた長さで表示される。
【０１００】
動作可能時間表示部分３１２Ａ〜３１２Ｃは、それぞれに対応する動作可能時間に応じた大きさで表示され、動作可能時間表示部分３１２Ａ〜３１２Ｃの長さ３５〜３７は、電池Ａ〜Ｃの動作可能時間の大きさに応じた長さで表示される。また、個別動作可能時間表示図形３２Ａ〜３２Ｃの動作可能時間表示部分３２２Ａ〜３２２Ｃの長さが、合計動作可能時間表示図形３１の動作可能時間表示部分３１２Ａ〜３１２Ｃの長さ３５〜３７と同じになるように表示される。
【０１０１】
また、合計動作可能時間表示図形３１における合計最大動作可能時間表示部分３１１の長さ３３と、動作可能時間表示部分３１２Ａ〜３１２Ｃの合計の長さ３４との比率が、３つの電池の合計最大動作可能時間と合計動作可能時間との比率と同じになるように表示される。また、個別動作可能時間表示図形３２Ａにおいて、最大動作可能時間表示部分３２１Ａの長さ３８と、動作可能時間表示部分３２２Ａの長さ３９との比率が、電池Ａの最大動作可能時間と動作可能時間との比率と同じになるように表示される。個別動作可能時間表示図形３２Ｂ，３２Ｃについても同様である。
【０１０２】
合計動作可能時間表示図形３１における動作可能時間表示部分３１２Ａ〜３１２Ｃと、個別動作可能時間表示図形３２Ａ〜３２Ｃにおける動作可能時間表示部分３２２Ａ〜３２２Ｃとは、それぞれ対応する形態で表示され、ユーザが対応関係を視認できるようになっている。
【０１０３】
また、使用中の電池Ａの動作可能時間表示部分３１２Ａ，３２２Ａと、その他の電池Ｂ，Ｃの動作可能時間表示部分３１２Ｂ，３２２Ｂ，３１２Ｃ，３２２Ｃとが区別できるような形態で表示される。図示例では、動作可能時間表示部分３１２Ａ，３２２Ａが使用中の電池の動作可能時間であることを示す斜線表示され、動作可能時間表示部分３１２Ｂ，３２２Ｂ，３１２Ｃ，３２２Ｃと一目で区別可能な形態となっている。
【０１０４】
個別動作可能時間表示図形３２Ａ〜３２Ｃは、対応する電池Ａ〜Ｃの動作可能時間を動作可能時間記憶部６に最初に記憶した順番にしたがって、上から個別動作可能時間表示図形３２Ａ，３２Ｂ，３２Ｃの順番で配列されている。
【０１０５】
合計動作可能時間表示図形３１においては、使用中の電池Ａに対応する動作可能時間表示部分３１２Ａを図示右端側とし、使用していない電池Ｂ，Ｃに対応する動作可能時間表示部分３１２Ｂ，３１２Ｃのうち、動作可能時間を記憶した順番が早い電池Ｂの動作可能時間表示部分３１２Ｂが電池Ａの動作可能時間表示部分３１２Ａに近い位置になるようにして、動作可能時間表示部分３１２Ａ〜３１２Ｃが直列的に配置される。使用中の電池Ａの動作可能時間が減少すると、動作可能時間表示部分３１２Ａの右端側の先端から左に向かって動作可能時間表示部分３１２Ａを縮小することで、ユーザが動作可能時間の減少を視認しやすいように表示される。
【０１０６】
図７に示すように、合計動作可能時間表示図形３１に隣接して設けられる合計動作可能時間表示部４１には、３つの電池の合計の残量による合計動作可能時間（図示例では３時間）が表示される。なお、３つの電池の合計最大動作可能時間に対する合計動作可能時間の比率も表示するようにしてもよい。
【０１０７】
図８に示すように、個別動作可能時間表示図形３２Ａに隣接して設けられる動作可能時間表示部４２には、電池Ａの動作可能時間（図示例では１時間）が表示され、動作可能時間比率表示部４３には、合計動作可能時間に対する電池Ａの動作可能時間の比率（図示例では３３．３％）が表示される。なお、電池Ａの最大動作可能時間に対する動作可能時間の比率も表示するようにしてもよい。また、電池ＩＤ表示部４４には、電池Ａの電池ＩＤが表示される。図６に示すように、個別動作可能時間表示図形３２Ｂ，３２Ｃに対しても、同様の内容が表示される。
【０１０８】
図９は、本実施の形態における動作可能時間表示画面の他の例を示す図である。なお、図９において、図６と重複する部分には同一の符号を付し、重複する説明を省略する。
【０１０９】
図９に示す動作可能時間表示画面３０Ａは、図６に示した動作可能時間表示画面３０と同様に、動作可能時間を動作可能時間記憶部６に記憶した順番に従って表示を行うようにした場合の動作可能時間表示画面の一例であるが、図６の動作可能時間表示画面３０と異なる点は、使用中の電池が電池Ｃである点である。
【０１１０】
図９では、電池Ｃの動作可能時間表示部分３１２Ｃ，３２２Ｃが、使用中の電池の動作可能時間であることを示す斜線表示され、電池Ａ，Ｂの動作可能時間表示部分３１２Ａ，３２２Ａ，３１２Ｂ，３２２Ｂと一目で区別可能な形態となっている。
【０１１１】
動作可能時間表示画面３０Ａの合計動作可能時間表示図形３１においては、使用中の電池Ｃに対応する動作可能時間表示部分３１２Ｃを図示右端側とし、使用していない電池Ａ，Ｂに対応する動作可能時間表示部分３１２Ａ，３１２Ｂのうち、動作可能時間を記憶した順番が早い電池Ａの動作可能時間表示部分３１２Ａが電池Ｃの動作可能時間表示部分３１２Ｃに近い位置になるように、動作可能時間表示部分３１２Ａ〜３１２Ｃが直列的に配置される。
【０１１２】
このように、合計動作可能時間表示図形３１においては、使用中の電池の動作可能時間は記憶順にかかわらず右端側に表示することで、ユーザが動作可能時間の減少を視認しやすくなる。
【０１１３】
図１０は、本実施の形態における動作可能時間表示画面のさらに他の例を示す図である。なお、図１０において、図６と重複する部分には同一の符号を付し、重複する説明を省略する。
【０１１４】
図１０は、電池Ａを使用し、動作可能時間の大きい順番に従って表示を行うようにした場合の動作可能時間表示画面の一例であり、個別動作可能時間表示図形３２Ａ〜３２Ｃは、上から個別動作可能時間表示図形３２Ｃ，３２Ａ，３２Ｂの順番で配列されている。
【０１１５】
図１０に示す動作可能時間表示画面３０Ｂの合計動作可能時間表示図形３１においては、使用中の電池Ａに対応する動作可能時間表示部分３１２Ａを図示右端側とし、使用していない電池Ｂ，Ｃに対応する動作可能時間表示部分３１２Ｂ，３１２Ｃのうち、動作可能時間が大きい電池Ｃの動作可能時間表示部分３１２Ｃが電池Ａの動作可能時間表示部分３１２Ａに近い位置になるように、動作可能時間表示部分３１２Ａ〜３１２Ｃが直列的に配置される。
【０１１６】
このような動作可能時間表示画面３０Ｂによれば、ユーザが各電池の動作可能時間をより把握しやすくなる。
【０１１７】
以上説明した動作可能時間表示画面３０，３０Ａ，３０Ｂにおいては、合計動作可能時間表示図形３１と個別動作可能時間表示図形３２Ａ〜３２Ｃとの双方を同時に表示した例を示しているが、合計動作可能時間表示図形３１のみであってもよく、個別動作可能時間表示図形３２Ａ〜３２Ｃのみであってもよい。もちろん、双方を表示することが好ましい。合計動作可能時間表示図形３１と個別動作可能時間表示図形３２Ａ〜３２Ｃとを選択的に表示するようにしてもよい。
【０１１８】
さらには、図形を表示することが好ましいが、１ｈ００ｍ，０ｈ３０ｍのような動作可能時間を直接的に表す数字文字列のみであってもよい。使用中の電池２１の動作可能時間を示す第１の動作可能時間情報と、動作可能時間記憶部６に動作可能時間を記憶させた使用中の電池以外の非使用中の電池の動作可能時間を示す第２の動作可能時間情報とを表示するものであればよい。
【０１１９】
次に、メッセージの表示例について説明する。
【０１２０】
図１１は、現在使用中の電池の動作可能時間を動作可能時間記憶部６に記憶するか否かをユーザに選択させるためのメッセージを表示した動作可能時間表示画面の一例を示す図である。なお、図１１において、図６と重複する部分には同一の符号を付し、重複する説明を省略する。
【０１２１】
前述した図３のステップＳ１７０で説明したように、使用中の電池の残量による動作可能時間が少ない場合は、この電池の動作可能時間を記憶しないという選択肢が必要となる。よって、使用中の電池の動作可能時間を動作可能時間記憶部６に記憶するか否かをユーザに選択させるためのメッセージを画面表示部８に表示する必要がある。
【０１２２】
図１１に示す動作可能時間表示画面３０Ｃは、図９に示した動作可能時間表示画面３０Ａに対し、使用中の電池の動作可能時間を動作可能時間記憶部６に記憶するか否かをユーザに選択させるためのメッセージボックス５０を追加して表示したものである。メッセージボックス５０には、記憶することを指示するための「記憶する」ボタン５１と、記憶しないことを指示するための「記憶しない」ボタン５２とが表示される。
【０１２３】
ユーザは、操作入力部１０の操作により、動作可能時間を記憶する電池を選択するための選択枠５３と、「記憶する」ボタン５１または「記憶しない」ボタン５２を選択するための選択枠５４とを動作可能時間表示画面３０Ｃ上で所望の位置に移動させ、決定するための操作を行うことにより、選択肢に応じた動作を電子機器１に行わせることができる。
【０１２４】
次に、動作可能時間記憶部６に記憶されている動作可能時間の消去について説明する。
【０１２５】
ユーザは、電子機器１の使用状況に応じて、持ち歩く電池の数量を決定するものであり、この場合、持ち歩かない電池の動作可能時間表示を画面表示部８から削除する必要がある。また、動作可能時間がすでになくなってしまった電池の動作可能時間表示についても同様である。
【０１２６】
図１２は、動作可能時間記憶部６に記憶されている動作可能時間を消去するためのメッセージを表示した動作可能時間表示画面の一例を示す図である。なお、図１２において、図６と重複する部分には同一の符号を付し、重複する説明を省略する。
【０１２７】
図１２に示す動作可能時間表示画面３０Ｄは、図６に示した動作可能時間表示画面３０に対し、選択された電池の動作可能時間を動作可能時間記憶部６から消去するか否かをユーザに選択させるためのメッセージボックス５５を追加して表示したものである。メッセージボックス５５には、消去することを指示するための「消去する」ボタン５６と、消去しないことを指示するための「消去しない」ボタン５７とが表示される。
【０１２８】
ユーザは、操作入力部１０の操作により、動作可能時間を消去する電池を選択するための選択枠５８と、「消去する」ボタン５６または「消去しない」ボタン５７を選択するための選択枠５９とを動作可能時間表示画面３０Ｄ上で所望の位置に移動させ、決定するための操作を行う。
【０１２９】
ユーザ操作により１つの電池が選択され、「消去する」ボタン５６が選択されると、制御部１６は、選択された電池の動作可能時間、電池ＩＤ、および動作可能時間記憶時刻を動作可能時間記憶部６から消去するとともに、選択された電池に対応する、合計動作可能時間表示図形３１における動作可能時間表示部分および個別動作可能時間表示図形を動作可能時間表示画面３０Ｄから削除するように画面表示部８を制御する。
【０１３０】
次に、電池における電池ＩＤの表示例について説明する。
【０１３１】
上記で説明したように、各電池の個別動作可能時間表示図形に対応してそれぞれの電池ＩＤが画面表示部８に表示される。ユーザは、表示された動作可能時間と電池ＩＤとにより、次に使用する電池を選択することができる。この場合、電池自体に電池ＩＤが視認でできる表示が必要になる。
【０１３２】
図１３は、電池における電池ＩＤの表示例を示す図である。図１３に示すように、電池２１の表面には、電池ＩＤを印刷したラベル２４が設けられている。ラベル２４において電池ＩＤは、画面表示部８に個別動作可能時間表示図形３２Ａ〜３２Ｃに対応付けられて表示される電池ＩＤと同一の形態で表示される。
【０１３３】
上記説明のように、本実施の形態によれば、電子機器１で使用した電池の残量による動作可能時間を動作可能時間記憶部６に記憶することで、現在使用中の電池の残量による動作可能時間に加えて、使用中でない電池の残量による動作可能時間も合算して画面表示部８により表示することができ、ユーザはすべての電池の残量の合計による合計動作可能時間を容易に把握することができる。
【０１３４】
なお、図６〜図１２において、使用中でない電池と区別する方法として使用中の電池の動作可能時間表示部分を斜線で示したが、これに限定されるものではなく、色、模様、光沢、質感などを変えることによって区別してもよい。
【０１３５】
また、合計動作可能時間表示図形３１および個別動作可能時間表示図形３２Ａ〜３２Ｃは、図６、図９〜図１２で示した表示位置関係に限定されるものではない。例えば図１０おいて、個別動作可能時間表示図形３２Ａ〜３２Ｃを動作可能時間の大きい順に上から順に配列する例を示したが、動作可能時間の小さい順に上から配列してもよい。
【産業上の利用可能性】
【０１３６】
本発明は、ビデオカメラ、デジタルカメラ、ノート型ＰＣ、携帯電話等の携帯型電子機器やその他の電池によって駆動される任意の電子機器に適用できる。
【符号の説明】
【０１３７】
１  電子機器
２  電池装着部
３  ＩＤ読み取り部
４  最大動作可能時間記憶部
５  電池残量算出部
６  動作可能時間記憶部
７  動作可能時間合算部
８  画面表示部
９  メッセージ送出部
１０  操作入力部
１１  計時部
１２  自己消費動作可能時間記憶部
１３  動作可能時間補正部
１４  平均消費電力算出部
１５  平均消費電力記憶部
１６  制御部
１７  ＲＯＭ
１８  ＲＡＭ
１９  電源部
２０  電源スイッチ
２１  電池
２２  ＩＤ記憶部
２３  電力供給部
３０，３０Ａ〜３０Ｄ  動作可能時間表示画面
３１  合計動作可能時間表示図形
３２Ａ〜３２Ｃ  個別動作可能時間表示図形
４１  合計動作可能時間表示部
４２  動作可能時間表示部
４３  動作可能時間比率表示部
４４  電池ＩＤ表示部
５０，５５  メッセージボックス
３１１  合計最大動作可能時間表示部分
３１２Ａ〜３１２Ｃ，３２２Ａ〜３２２Ｃ  動作可能時間表示部分
３２１Ａ〜３２１Ｃ  最大動作可能時間表示部分
【図１】
2010237796.tif 000003
【図２】
2010237796.tif 000004
【図３】
2010237796.tif 000005
【図４】
2010237796.tif 000006
【図５】
2010237796.tif 000007
【図６】
2010237796.tif 000008
【図７】
2010237796.tif 000009
【図８】
2010237796.tif 000010
【図９】
2010237796.tif 000011
【図１０】
2010237796.tif 000012
【図１１】
2010237796.tif 000013
【図１２】
2010237796.tif 000014
【図１３】
2010237796.tif 000015